(57)【要約】【課題】ローミング状態の移動局ＵＥに対してＭＤＴを行うように指示しないという制御を可能とする。【解決手段】本発明に係る移動通信方法は、移動局ＵＥのアタッチ手順又はアクティブ状態への遷移手順において、移動管理ノードＭＭＥが、移動局ＵＥがローミング状態の移動局ＵＥ（Ｒｏａｍｉｎｇ  Ｕｓｅｒ）であるか否かについて判定する工程と、移動管理ノードＭＭＥが、移動局ＵＥがローミング状態の移動局ＵＥであると判定した場合、無線基地局ｅＮＢに対して、移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信する工程とを有する。【選択図】図３
2012235302.tif 000002
【特許請求の範囲】
【請求項１】
移動局のアタッチ手順又はアクティブ状態への遷移手順において、移動管理ノードが、該移動局がローミング状態の移動局であるか否かについて判定する工程と、
前記移動管理ノードが、前記移動局がローミング状態の移動局であると判定した場合、無線基地局に対して、該移動局において測定走行試験の実施に対する承諾がなされていないことを示す承諾状況指示信号を送信する工程とを有することを特徴とする移動通信方法。
【請求項２】
前記移動管理ノードが、非ローミング状態の移動局において測定走行試験の実施に対する承諾がなされているか否かについて示す承諾状況を管理する工程と、
前記移動管理ノードが、前記移動局がローミング状態の移動局でないと判定した場合、前記無線基地局に対して、自身で管理している該移動局に係る承諾状況を通知するための前記承諾状況指示信号を送信する工程を有することを特徴とする請求項１に係る移動通信方法。
【請求項３】
移動局のアタッチ手順又はアクティブ状態への遷移手順において、該移動局がローミング状態の移動局であるか否かについて判定するように構成されている判定部と、
前記判定部が、前記移動局がローミング状態の移動局であると判定した場合、無線基地局に対して、該移動局において測定走行試験の実施に対する承諾がなされていないことを示す承諾状況指示信号を送信するように構成されている送信部とを具備することを特徴とする移動管理ノード。
【請求項４】
非ローミング状態の移動局において測定走行試験の実施に対する承諾がなされているか否かについて示す承諾状況を管理するように構成されている管理部を具備し、
前記判定部が、前記移動局がローミング状態の移動局でないと判定した場合、前記送信部は、前記無線基地局に対して、前記管理部によって管理されている該移動局に係る承諾状況を通知するための前記承諾状況指示信号を送信するように構成されていることを特徴とする請求項３に係る移動管理ノード。
【請求項５】
移動局の位置登録更新手順において、該移動局のホームネットワークにおける加入者管理サーバが、該移動局がローミング状態であるか否かについて判定する工程と、
前記加入者管理サーバが、前記移動局がローミング状態であると判定した場合、該移動局が接続している移動管理ノードに対して、該移動局において測定走行試験の実施に対する承諾がなされていないことを示す承諾状況指示信号を送信する工程とを有することを特徴とする移動通信方法。
【請求項６】
移動局のホームネットワークにおける加入者管理サーバであって、
前記移動局の位置登録更新手順において、該移動局がローミング状態であるか否かについて判定するように構成されている判定部と、
前記移動局がローミング状態であると判定した場合、該移動局が接続している移動管理ノードに対して、該移動局において測定走行試験の実施に対する承諾がなされていないことを示す承諾状況指示信号を送信するように構成されている送信部とを具備することを特徴とする加入者管理サーバ。
【発明の詳細な説明】
【技術分野】
【０００１】
本発明は、移動通信方法、移動管理ノード及び加入者管理サーバに関する。
【背景技術】
【０００２】
ＬＴＥ（Ｌｏｎｇ  Ｔｅｒｍ  Ｅｖｏｌｕｔｉｏｎ）方式では、「ＭＤＴ（Ｍｉｎｉｍｉｓａｔｉｏｎ  ｏｆ  Ｄｒｉｖｅ  Ｔｅｓｔｓ、測定走行試験）」が規定されている。
【０００３】
かかるＭＤＴのうち、測定対象エリア内の任意の移動局ＵＥからの測定結果を取得する「Ｍａｎａｇｅｍｅｎｔ  Ｂａｓｅｄ  ＭＤＴ」では、各移動局ＵＥにおいてＭＤＴの実施に対する承諾がなされているか否かについて示す「Ｕｓｅｒ  Ｃｏｎｓｅｎｔ  Ｓｔａｔｕｓ（承諾状況）」に基づいて、ＭＤＴを実施させる移動局ＵＥを選択するように規定されている。
【０００４】
具体的には、図６に示すように、「Ｍａｎａｇｅｍｅｎｔ  Ｂａｓｅｄ  ＭＤＴ」が行われる場合には、運用保守サーバＯ＆Ｍが、測定対象エリアに含まれるセルを管理する無線基地局ｅＮＢ＃１/ｅＮＢ＃２に対して、ＭＤＴを行うように指示するように構成されている。
【０００５】
また、「Ｍａｎａｇｅｍｅｎｔ  Ｂａｓｅｄ  ＭＤＴ」が行われる場合には、移動管理ノードＭＭＥ（Ｍｏｂｉｌｉｔｙ  Ｍａｎａｇｅｍｅｎｔ  Ｅｎｔｉｔｙ）が、無線基地局ｅＮＢ＃１/ｅＮＢ＃２に対して、各移動局ＵＥに係る「Ｕｓｅｒ  Ｃｏｎｓｅｎｔ  Ｓｔａｔｕｓ」を通知するように構成されている。
【０００６】
さらに、「Ｍａｎａｇｅｍｅｎｔ  Ｂａｓｅｄ  ＭＤＴ」が行われる場合には、無線基地局ｅＮＢ＃１/ｅＮＢ＃２が、ＭＤＴの実施に対する承諾がなされている移動局ＵＥ＃１に対して、「ＲＲＣＲｅｃｏｎｆｉｇｕｒａｔｉｏｎ」によって、ＭＤＴを行うように指示し、ＭＤＴの実施に対する承諾がなされていない移動局ＵＥ＃２に対しては、ＭＤＴを行うように指示しない。
【０００７】
また、ＬＴＥ方式では、「Ｍａｎａｇｅｍｅｎｔ  Ｂａｓｅｄ  ＭＤＴ」において、移動管理ノードＭＭＥから無線基地局ｅＮＢに対して、各移動局ＵＥに係る「Ｕｓｅｒ  Ｃｏｎｓｅｎｔ  Ｓｔａｔｕｓ」を通知することに加えて、無線基地局ｅＮＢ間で、各移動局ＵＥに係る「Ｕｓｅｒ  Ｃｏｎｓｅｎｔ  Ｓｔａｔｕｓ」を通知することが提案されている（非特許文献１及び２参照）。
【先行技術文献】
【非特許文献】
【０００８】
【非特許文献１】３ＧＰＰ寄書  Ｒ３-１１０９３３
【非特許文献２】３ＧＰＰ寄書  Ｒ３-１１０９３４
【非特許文献３】３ＧＰＰ寄書  Ｒ３-１１１１３６
【発明の概要】
【発明が解決しようとする課題】
【０００９】
ＬＴＥ方式では、ローミング状態の移動局ＵＥ（Ｒｏａｍｉｎｇ  Ｕｓｅｒ）からは、ＭＤＴの測定結果を取得するべきではないという要求条件が規定されている（非特許文献３参照）。
【００１０】
しかしながら、既存のＬＴＥ方式の移動通信システムでは、無線基地局ｅＮＢは、各移動局ＵＥがローミング状態の移動局ＵＥであるか否かについて判定することができないため、ローミング状態の移動局ＵＥに対してＭＤＴを行うように指示しないという制御を行うことができないという問題点があった。
【００１１】
特に、既存のＬＴＥ方式の移動通信システムでは、移動局のアタッチ手順又はアクティブ状態への遷移手順によって新たに接続してきたローミング状態の移動局ＵＥに対してＭＤＴを行うように指示しないという制御を行うことができないという問題点があった。
【００１２】
そこで、本発明は、上述の課題に鑑みてなされたものであり、ローミング状態の移動局ＵＥに対してＭＤＴを行うように指示しないという制御を可能とする移動通信方法、移動管理ノード及び加入者管理サーバを提供することを目的とする。
【課題を解決するための手段】
【００１３】
本発明の第１の特徴は、移動通信方法であって、移動局のアタッチ手順又はアクティブ状態への遷移手順において、移動管理ノードが、該移動局がローミング状態の移動局であるか否かについて判定する工程と、前記移動管理ノードが、前記移動局がローミング状態の移動局であると判定した場合、無線基地局に対して、該移動局において測定走行試験の実施に対する承諾がなされていないことを示す承諾状況指示信号を送信する工程とを有することを要旨とする。
【００１４】
本発明の第２の特徴は、移動管理ノードであって、移動局のアタッチ手順又はアクティブ状態への遷移手順において、該移動局がローミング状態の移動局であるか否かについて判定するように構成されている判定部と、前記判定部が、前記移動局がローミング状態の移動局であると判定した場合、無線基地局に対して、該移動局において測定走行試験の実施に対する承諾がなされていないことを示す承諾状況指示信号を送信するように構成されている送信部とを具備することを要旨とする。
【００１５】
本発明の第３の特徴は、移動通信方法であって、移動局の位置登録更新手順において、該移動局のホームネットワークにおける加入者管理サーバが、該移動局がローミング状態であるか否かについて判定する工程と、前記加入者管理サーバが、前記移動局がローミング状態であると判定した場合、該移動局が接続している移動管理ノードに対して、該移動局において測定走行試験の実施に対する承諾がなされていないことを示す承諾状況指示信号を送信する工程とを有することを要旨とする。
【００１６】
本発明の第４の特徴は、移動局のホームネットワークにおける加入者管理サーバであって、前記移動局の位置登録更新手順において、該移動局がローミング状態であるか否かについて判定するように構成されている判定部と、前記移動局がローミング状態であると判定した場合、該移動局が接続している移動管理ノードに対して、該移動局において測定走行試験の実施に対する承諾がなされていないことを示す承諾状況指示信号を送信するように構成されている送信部とを具備することを要旨とする。
【発明の効果】
【００１７】
以上説明したように、本発明によれば、ローミング状態の移動局ＵＥに対してＭＤＴを行うように指示しないという制御を可能とする移動通信方法、移動管理ノード及び加入者管理サーバを提供することができる。
【図面の簡単な説明】
【００１８】
【図１】本発明の第１の実施形態に係る移動通信システムの全体構成図である。
【図２】本発明の第１の実施形態に係る移動管理ノードの機能ブロック図である。
【図３】本発明の第１の実施形態に係る移動管理ノードの動作を示すフローチャートである。
【図４】本発明の第２の実施形態に係る加入者管理サーバの機能ブロック図である。
【図５】本発明の第２の実施形態に係る加入者管理サーバの動作を示すフローチャートである。
【図６】従来の移動通信システムについて説明するための図である。
【発明を実施するための形態】
【００１９】
（本発明の第１の実施形態に係る移動通信システム）
図１乃至図３を参照して、本発明の第１の実施形態に係る移動通信システムについて説明する。
【００２０】
図１に示すように、本実施形態に係る移動通信システムは、ＬＴＥ方式の移動通信システムであって、無線基地局ｅＮＢと、移動管理ノードＭＭＥと、加入者管理サーバＨＳＳ（Ｈｏｍｅ  Ｓｕｂｓｃｒｉｂｅｒ  Ｓｅｒｖｅｒ）と、運用保守サーバＯ＆Ｍとを具備している。
【００２１】
本実施形態に係る移動通信システムは、「Ｍａｎａｇｅｍｅｎｔ  Ｂａｓｅｄ  ＭＤＴ」を実施することができるように構成されている。
【００２２】
本実施形態に係る移動管理ノードＭＭＥは、図２に示すように、管理部１１と、受信部１２と、判定部１３と、送信部１４とを具備している。
【００２３】
管理部１１は、非ローミング状態の移動局ＵＥ、すなわち、移動管理ノードＭＭＥが属するネットワークのユーザ用の移動局ＵＥにおいてＭＤＴの実施に対する承諾がなされているか否かについて示す「Ｕｓｅｒ  Ｃｏｎｓｅｎｔ  Ｓｔａｔｕｓ」を管理するように構成されている。
【００２４】
ここで、管理部１１は、加入者管理サーバＨＳＳから、各移動局ＵＥに係る「Ｕｓｅｒ  Ｐｒｏｆｉｌｅ」を取得することによって、各移動局においてＭＤＴの実施に対する承諾がなされているか否かについて示す「Ｕｓｅｒ  Ｃｏｎｓｅｎｔ  Ｓｔａｔｕｓ」を管理するように構成されていてもよい。
【００２５】
受信部１２は、無線基地局ｅＮＢや移動局ＵＥから各種信号を受信するように構成されている。
【００２６】
例えば、受信部１２は、移動局ＵＥのアタッチ（Ａｔｔａｃｈ）手順において、移動局ＵＥから「Ａｔｔａｃｈ  Ｒｅｑｕｅｓｔ」を受信し、移動局ＵＥのＩｄｌｅモード（Ｉｄｌｅ状態）からＣｏｎｎｅｃｔｅｄモード（Ａｃｔｉｖｅ状態）への遷移手順において、移動局ＵＥから「Ｓｅｒｖｉｃｅ  Ｒｅｑｕｅｓｔ」を受信するように構成されている。
【００２７】
判定部１３は、移動局ＵＥのアタッチ手順やＣｏｎｎｅｃｔｅｄモードへの遷移手順において、かかる移動局ＵＥのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）等に基づいて、かかる移動局ＵＥがローミング状態の移動局ＵＥ（Ｒｏａｍｉｎｇ  Ｕｓｅｒ）であるか否かについて判定するように構成されている。
【００２８】
送信部１４は、無線基地局ｅＮＢや移動局ＵＥに対して各種信号を送信するように構成されている。
【００２９】
ここで、判定部１３が、移動局ＵＥがローミング状態の移動局ＵＥであると判定した場合、送信部１４は、無線基地局ｅＮＢに対して、移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信するように構成されている。
【００３０】
一方、判定部１３が、移動局ＵＥがローミング状態の移動局ＵＥでないと判定した場合、送信部１４は、無線基地局ｅＮＢに対して、管理部１１によって管理されている移動局ＵＥに係る「Ｕｓｅｒ  Ｃｏｎｓｅｎｔ  Ｓｔａｔｕｓ」を通知するための「Ｕｓｅｒ  Ｃｏｎｓｅｎｔ  Ｉｎｄｉｃａｔｉｏｎ」を送信するように構成されている。
【００３１】
以下、図３を参照して、本発明の第１の実施形態に係る移動管理ノードＭＭＥの動作の一例について説明する。
【００３２】
図３に示すように、移動管理ノードＭＭＥは、ステップＳ１０１において、移動局ＵＥのアタッチ手順において、移動局ＵＥから「Ａｔｔａｃｈ  Ｒｅｑｕｅｓｔ」を受信する、或いは、移動局ＵＥのＩｄｌｅモード（Ｉｄｌｅ状態）からＣｏｎｎｅｃｔｅｄモード（Ａｃｔｉｖｅ状態）への遷移手順において、移動局ＵＥから「Ｓｅｒｖｉｃｅ  Ｒｅｑｕｅｓｔ」を受信すると、ステップＳ１０２において、かかる移動局ＵＥがローミング状態の移動局ＵＥであるか否かについて判定する。
【００３３】
「ＹＥＳ」の場合、本動作は、ステップＳ１０３に進み、「ＮＯ」の場合、本動作は、ステップＳ１０４に進む。
【００３４】
ステップＳ１０３において、移動管理ノードＭＭＥは、無線基地局ｅＮＢに対して、移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信する。
【００３５】
この結果、無線基地局ｅＮＢは、かかる移動局ＵＥに対して、ＭＤＴを行うように指示しない。
【００３６】
一方、ステップＳ１０４において、移動管理ノードＭＭＥは、無線基地局ｅＮＢに対して、自身が管理している移動局ＵＥに係る「Ｕｓｅｒ  Ｃｏｎｓｅｎｔ  Ｓｔａｔｕｓ」を通知するための「Ｕｓｅｒ  Ｃｏｎｓｅｎｔ  Ｉｎｄｉｃａｔｉｏｎ」を送信する。
【００３７】
本発明の第１の実施形態に係る移動通信システムによれば、移動局ＵＥのアタッチ手順やＣｏｎｎｅｃｔｅｄモードへの遷移手順において、移動管理ノードＭＭＥが、無線基地局ｅＮＢに対して、ローミング状態の移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信するように構成するため、無線基地局ｅＮＢは、「Ｍａｎａｇｅｍｅｎｔ  ｂａｓｅｄ  ＭＤＴ」の測定対象エリアに移動してきたローミング状態の移動局ＵＥに対してＭＤＴを行うように指示してしまうという事態を回避することができる。
【００３８】
（本発明の第２の実施形態に係る移動通信システム）
図４及び図５を参照して、本発明の第２の実施形態に係る移動通信システムについて説明する。以下、本発明の第２の実施形態に係る移動通信システムについて、上述の第２の実施形態に係る移動通信システムとの相違点に着目して説明する。
【００３９】
本実施形態に係る加入者管理サーバＨＳＳは、移動局ＵＥの「Ｈｏｍｅ  ＰＬＭＮ（Ｐｕｂｌｉｃ  Ｌａｎｄ  Ｍｏｂｉｌｅ  Ｎｅｔｗｏｒｋ）」に設けられており、常時、移動局ＵＥは、かかる加入者管理サーバＨＳＳに接続しているように構成されている。
【００４０】
また、本実施形態に係る加入者管理サーバＨＳＳは、図４に示すように、管理部２１と、受信部２２と、判定部２３と、送信部２４とを具備している。
【００４１】
管理部２１は、加入者管理サーバＨＳＳが属するネットワーク（ＰＬＭＮ）のユーザ用の移動局ＵＥの「Ｕｓｅｒ  Ｐｒｏｆｉｌｅ」を管理するように構成されている。
【００４２】
ここで、管理部２１は、かかる「Ｕｓｅｒ  Ｐｒｏｆｉｌｅ」として、かかる移動局ＵＥにおいてＭＤＴの実施に対する承諾がなされているか否かについて示す「Ｕｓｅｒ  Ｃｏｎｓｅｎｔ  Ｓｔａｔｕｓ」を管理するように構成されている。
【００４３】
受信部２２は、移動局ＵＥが接続している移動管理ノードＭＭＥから各種信号を受信するように構成されている。
【００４４】
例えば、受信部２２は、移動局ＵＥのＴＡＵ（Ｔｒａｃｋｉｎｇ  Ａｒｅａ  Ｕｐｄａｔｅ）手順において、移動局ＵＥが接続している移動管理ノードＭＭＥ（Ｖｉｓｉｔｅｄ  ＭＭＥ）からＴＡＵ信号を受信するように構成されている。
【００４５】
判定部２３は、移動局ＵＥのＴＡＵ手順において、かかる移動局ＵＥが接続している移動管理ノードＭＭＥに係る情報（例えば、ＭＭＥ-ＩＤ等）に基づいて、かかる移動局ＵＥがローミング状態であるか否かについて判定するように構成されている。
【００４６】
送信部２４は、移動局ＵＥが接続している移動管理ノードＭＭＥに対して各種信号を送信するように構成されている。
【００４７】
ここで、判定部２３が、移動局ＵＥがローミング状態であると判定した場合、送信部２４は、移動局ＵＥが接続している移動管理ノードＭＭＥに対して、移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信するように構成されている。
【００４８】
一方、判定部２３が、移動局ＵＥがローミング状態でないと判定した場合、送信部２４は、移動局ＵＥが接続している移動管理ノードＭＭＥに対して、管理部１１によって管理されている移動局ＵＥに係る「Ｕｓｅｒ  Ｃｏｎｓｅｎｔ  Ｓｔａｔｕｓ」を通知するための「Ｕｓｅｒ  Ｃｏｎｓｅｎｔ  Ｉｎｄｉｃａｔｉｏｎ」を送信しないように構成されている。
【００４９】
以下、図５を参照して、本発明の第２の実施形態に係る加入者管理サーバＨＳＳの動作の一例について説明する。
【００５０】
図５に示すように、移動局ＵＥの「Ｈｏｍｅ  ＰＬＭＮ」に設けられている加入者管理サーバＨＳＳは、ステップＳ２０１において、移動局ＵＥのＴＡＵ手順において、移動局ＵＥが接続している移動管理ノードＭＭＥに係る情報を取得する。
【００５１】
ステップＳ２０２において、加入者管理サーバＨＳＳは、かかる移動局ＵＥが接続している移動管理ノードＭＭＥに係る情報に基づいて、かかる移動局ＵＥがローミング状態であるか否かについて判定する。
【００５２】
「ＹＥＳ」の場合、本動作は、ステップＳ２０３に進み、「ＮＯ」の場合、本動作は、ステップＳ２０４に進む。
【００５３】
ステップＳ２０３において、加入者管理サーバＨＳＳは、かかる移動局ＵＥが接続している移動管理ノードＭＭＥに対して、移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信する。
【００５４】
この結果、かかる移動局ＵＥが接続している移動管理ノードＭＭＥは、かかる移動局ＵＥに係る「Ｕｓｅｒ  Ｃｏｎｓｅｎｔ  Ｓｔａｔｕｓ」を、ＭＤＴの実施に対する承諾がなされていないという設定にする。
【００５５】
そのため、かかる移動局ＵＥが接続している移動管理ノードＭＭＥは、かかる移動局ＵＥに対して、ＭＤＴを行うように指示しない。
【００５６】
一方、ステップＳ２０４において、加入者管理サーバＨＳＳは、かかる移動局ＵＥが接続している移動管理ノードＭＭＥに対して、「Ｕｓｅｒ  Ｃｏｎｓｅｎｔ  Ｉｎｄｉｃａｔｉｏｎ」を送信しない。
【００５７】
この結果、かかる移動局ＵＥが接続している移動管理ノードＭＭＥは、かかる移動局ＵＥに係る「Ｕｓｅｒ  Ｃｏｎｓｅｎｔ  Ｓｔａｔｕｓ」を変更しない。
【００５８】
本発明の第２の実施形態に係る移動通信システムによれば、移動局ＵＥのＴＡＵにおいて、加入者管理サーバＨＳＳが、かかる移動局ＵＥが接続している移動管理ノードＭＭＥに対して、ローミング状態の移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信するように構成するため、かかる移動局ＵＥが接続している移動管理ノードＭＭＥは、「Ｍａｎａｇｅｍｅｎｔ  ｂａｓｅｄ  ＭＤＴ」の測定対象エリアに移動してきたローミング状態の移動局ＵＥに対してＭＤＴを行うように指示してしまうという事態を回避することができる。
【００５９】
以上に述べた本実施形態の特徴は、以下のように表現されていてもよい。
【００６０】
本実施形態の第１の特徴は、移動通信方法であって、移動局ＵＥのアタッチ手順又はアクティブ状態への遷移手順において、移動管理ノードＭＭＥが、移動局ＵＥがローミング状態の移動局ＵＥ（Ｒｏａｍｉｎｇ  Ｕｓｅｒ）であるか否かについて判定する工程と、移動管理ノードＭＭＥが、移動局ＵＥがローミング状態の移動局ＵＥであると判定した場合、無線基地局ｅＮＢに対して、移動局ＵＥにおいてＭＤＴ（測定走行試験）の実施に対する承諾がなされていないことを示す「Ｕｓｅｒ  Ｃｏｎｓｅｎｔ  Ｉｎｄｉｃａｔｉｏｎ（承諾状況指示信号）」を送信する工程とを有することを要旨とする。
【００６１】
本実施形態の第１の特徴において、移動管理ノードＭＭＥが、非ローミング状態の移動局においてＭＤＴの実施に対する承諾がなされているか否かについて示す「Ｕｓｅｒ  Ｃｏｎｓｅｎｔ  Ｓｔａｔｕｓ（承諾状況）」を管理する工程と、移動管理ノードＭＭＥが、移動局ＵＥがローミング状態の移動局ＵＥでないと判定した場合、無線基地局ｅＮＢに対して、自身で管理している移動局ＵＥに係る「Ｕｓｅｒ  Ｃｏｎｓｅｎｔ  Ｓｔａｔｕｓ」を通知するための「Ｕｓｅｒ  Ｃｏｎｓｅｎｔ  Ｉｎｄｉｃａｔｉｏｎ」を送信する工程を有してもよい。
【００６２】
本実施形態の第２の特徴は、移動管理ノードＭＭＥであって、移動局ＵＥのアタッチ手順又はアクティブ状態への遷移手順において、移動局ＵＥがローミング状態の移動局ＵＥであるか否かについて判定するように構成されている判定部１３と、判定部１３が、移動局ＵＥがローミング状態の移動局ＵＥであると判定した場合、無線基地局ｅＮＢに対して、移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信するように構成されている送信部１４とを具備することを要旨とする。
【００６３】
本実施形態の第２の特徴において、非ローミング状態の移動局ＵＥにおいてＭＤＴの実施に対する承諾がなされているか否かについて示す「Ｕｓｅｒ  Ｃｏｎｓｅｎｔ  Ｓｔａｔｕｓ」を管理するように構成されている管理部１１を具備し、判定部１３が、移動局ＵＥがローミング状態の移動局ＵＥでないと判定した場合、送信部１４は、無線基地局ｅＮＢに対して、管理部１１によって管理されている移動局ＵＥに係る「Ｕｓｅｒ  Ｃｏｎｓｅｎｔ  Ｓｔａｔｕｓ」を通知するための「Ｕｓｅｒ  Ｃｏｎｓｅｎｔ  Ｉｎｄｉｃａｔｉｏｎ」を送信するように構成されていてもよい。
【００６４】
本実施形態の第３の特徴は、移動通信方法であって、移動局ＵＥのＴＡＵ手順（位置登録更新手順）において、移動局ＵＥの「Ｈｏｍｅ  ＰＬＭＮ（ホームネットワーク）」における加入者管理サーバＨＳＳが、移動局ＵＥがローミング状態であるか否かについて判定する工程と、加入者管理サーバＨＳＳが、移動局ＵＥがローミング状態であると判定した場合、移動局ＵＥが接続している移動管理ノードＭＭＥに対して、移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信する工程とを有することを要旨とする。
【００６５】
本実施形態の第４の特徴は、移動局ＵＥの「Ｈｏｍｅ  ＰＬＭＮ」における加入者管理サーバＨＳＳであって、移動局ＵＥのＴＡＵ手順において、移動局ＵＥがローミング状態であるか否かについて判定するように構成されている判定部２３と、移動局ＵＥがローミング状態であると判定した場合、移動局ＵＥが接続している移動管理ノードＭＭＥに対して、移動局ＵＥにおいてＭＤＴの実施に対する承諾がなされていないことを示す「Ｕｓｅｒ  Ｃｏｎｓｅｎｔ  Ｉｎｄｉｃａｔｉｏｎ」を送信するように構成されている送信部２４とを具備することを要旨とする。
【００６６】
なお、上述の移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢや移動局ＵＥ内に設けられていてもよい。また、かかる記憶媒体及びプロセッサは、ディスクリートコンポーネントとして移動管理ノードＭＭＥや無線基地局ｅＮＢや移動局ＵＥ内に設けられていてもよい。
【００６９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７０】
ＵＥ…移動局
ｅＮＢ…無線基地局
ＭＭＥ…移動管理ノード
ＨＳＳ…加入者管理サーバ
１１、２１…管理部
１２、２２…受信部
１３、２３…判定部
１４、２４…送信部
【図１】
2012235302.tif 000003
【図２】
2012235302.tif 000004
【図３】
2012235302.tif 000005
【図４】
2012235302.tif 000006
【図５】
2012235302.tif 000007
【図６】
2012235302.tif 000008
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
移動局のアタッチ手順又はアクティブ状態への遷移手順において、移動管理ノードが、該移動局のローミング状態に基づいて、無線基地局に対して、該移動局において測定走行試験の実施に対する承諾がなされているか否かについて示す承諾状況を通知する工程を有することを特徴とする移動通信方法。
【請求項２】
前記工程において、前記移動管理ノードは、非ローミング状態の移動局の承諾状況について通知することを特徴とする請求項１に記載の移動通信方法。
【請求項３】
移動局のアタッチ手順又はアクティブ状態への遷移手順において、該移動局のローミング状態に基づいて、無線基地局に対して、該移動局において測定走行試験の実施に対する承諾がなされているか否かについて示す承諾状況を通知するように構成されている送信部を具備することを特徴とする移動管理ノード。
【請求項４】
前記送信部は、非ローミング状態の移動局の承諾状況について通知するよう構成されていることを特徴とする請求項３に記載の移動管理ノード。
【請求項５】
移動局の位置登録更新手順において、該移動局のホームネットワークにおける加入者管理サーバが、該移動局のローミング状態に基づいて、無線基地局に対して、該移動局において測定走行試験の実施に対する承諾がなされているか否かについて示す承諾状況を通知する工程を有することを特徴とする移動通信方法。
【請求項６】
移動局のホームネットワークにおける加入者管理サーバであって、
前記移動局の位置登録更新手順において、該移動局のローミング状態に基づいて、無線基地局に対して、該移動局において測定走行試験の実施に対する承諾がなされているか否かについて示す承諾状況を通知するように構成されている送信部を具備することを特徴とする加入者管理サーバ。